(57)【要約】【課題】係止具の支点が大きく変位せず、係止具が変形されまたは予定の位置からずれる恐れの無いジッパースライダ構造とする。【解決手段】ジッパースライダ構造のスライダの内部にガイド溝が形成され、該スライダの頂部に収容部とスールホールを有し、該スールホールがガイド溝までに貫通する。係止具は、フック部と支点を有し、該係止具の上面に当接面が形成され、該係止具が該収容部内に収容される。プルタブの端部は係止具の下方に位置され、ばね板の一端は該スライダに固定され、該係止具のフック部を該スライダのスールホールに貫通させ該ガイド溝部に伸び込むように、該ばね板が該係止具の当接面に押し付けられる。カバーの内部の両側に凸部がそれぞれ突設され、該カバーが該係止具とばね板の上方に覆われ、かつ、該カバーがスライダ上に固定され、該カバーの２つの凸部が該係止具の支点の上方に位置される。【選択図】図４
0003143517.tif 000002
【実用新案登録請求の範囲】
【請求項１】
内部にガイド溝が形成され、その頂部に収容部および前記ガイド溝までに貫通するスールホールを有するスライダと、
フック部及び支点を有し、その上面に当接面が形成され、前記スライダの収容部内に収容される係止具と、
一端に端部を有し、前記端部が係止具の下方に位置されるプルタブと、
一端が前記スライダに固定され、かつ、前記係止具のフック部を前記スライダのスールホールに貫通させ前記ガイド溝部までに伸び込むように前記係止具の当接面に押し付けられるばね板と、
内部の両側に凸部がそれぞれ突設され、前記係止具およびばね板の上方に覆われ、かつ、前記スライダ上に固定され、その２つの凸部が前記係止具の支点の上方に位置されるカバーと、を含むジッパースライダ構造。
【請求項２】
前記収容部の一端に平台が設けられ、前記係止具の支点が前記平台に支えられることを特徴とする請求項１記載のジッパースライダ構造。
【請求項３】
前記２つの凸部の下端に限定面をそれぞれ有し、前記２つの凸部の限定面は、前記係止具の支点の上方に位置されることを特徴とする請求項１または２に記載のジッパースライダ構造。
【請求項４】
前記収容部の両側に突出状のストッパが設けられ、これらのストッパは、前記係止具の両側を止めていることを特徴とする請求項１記載のジッパースライダ構造。
【請求項５】
前記スライダの頂部に固定座が設けられ、前記ばね板の一端が前記スライダの固定座に固定されることを特徴とする請求項１記載のジッパースライダ構造。
【請求項６】
前記フック部が前記係止具の一端に形成し、前記支点が前記係止具の他端に形成されることを特徴とする請求項１記載のジッパースライダ構造。
【請求項７】
前記カバーの両側に切欠きがそれぞれ形成され、前記プルタブの端部が前記２つの切欠き内に挿通されたことを特徴とする請求項１記載のジッパースライダ構造。
【考案の詳細な説明】
【技術分野】
【０００１】
本考案は、ジッパースライダ構造の改良に関わり、特に、係止具を位置決め付け、構造強度が良く、取り付け易いジッパースライダ構造に関するものである。
【背景技術】
【０００２】
従来のジッパースライダ構造は、大体、スライダ、係止具、ばね板、カバーおよびプルタブを含み、係止具は、ばね板によりスライダのガイド溝内に伸び込むように押し付けられ、プルタブの一端が係止具の下方に位置され、カバーがスライダの上に固定され、かつ係止具およびばね板の上方に覆われる。例えば、中華民国特許証第M292296号に「ジッパースライダの組合構造（二）」が掲示されている。
【０００３】
しかし、従来のジッパースライダ構造は、その係止具が、ばね板によりスライダのガイド溝内に伸び込むように押し付けられ、係止具がばね板からの弾力のみで固定されるため、プルタブの引張り力が大き過ぎると、係止具の支点が大きく変位される可能性があり、係止具が変形されまたは予定の位置からずれるようになってしまう。
【０００４】
そのため、本考案者は、前記欠点を改良するために、長年以来この領域で積み立てた経験により、専念な観察かつ研究をし、さらに学術理論の運用に合せ、やっと合理な設計且つ前記の欠点を有効に改良できた本考案を提案した。  
【考案の開示】
【考案が解決しようとする課題】
【０００５】
本考案の主な目的は、係止具の支点にストップ機能を与え、プルタブの引張り力が大き過ぎても、係止具の支点が大きく変位せず、係止具が変形されまたは予定の位置からずれる恐れの無いジッパースライダ構造を提供することにある。
【課題を解決するための手段】
【０００６】
前記目的を達成するため、本考案は、内部にガイド溝が形成され、その頂部に収容部および前記ガイド溝までに貫通するスールホールを有するスライダと、フック部及び支点を有し、上面に当接面が形成され、前記スライダの収容部内に収容される係止具と、一端に端部を有し、前記端部が係止具の下方に位置されるプルタブと、一端が前記スライダに固定され、かつ、前記係止具のフック部を前記スライダのスールホールに貫通させ前記ガイド溝部までに伸び込むように前記係止具の当接面に押し付けられるばね板と、内部の両側に凸部がそれぞれ突設され、前記係止具およびばね板の上方に覆われ、かつ、前記スライダ上に固定され、その２つの凸部が前記係止具の支点の上方に位置されるカバーとを含むジッパースライダ構造を提供した。
【０００７】
本考案は、以下の有益な効果がある。本考案の係止具は、ばね板が提供した弾力で固定する外、係止具の支点の上方に２つの凸部が設けられ、ストップの機能を与えるので、プルタブの引張り力が大き過ぎても、係止具の支点が大きく変位せず、係止具が変形されまたは予定の位置からずれる恐れは無い。また、２つの凸部が該カバー内部の両側に一体成形されるので、構造強度が良く、かつ取り付け易く、コストを有効に低下できる。
【０００８】
本考案の特徴及び技術内容を、以下に本考案に関わる詳しい説明及び添付図面を参照することにより、深く且つ具体的な了解を得られるが、それらの添付図面が参考及び説明のみに使われ、本考案の主張範囲を狭義的に局限するものではないことは言うまでもないことである。
【考案を実施するための最良の形態】
【０００９】
図１〜図４を参照すると、本考案は、スライダ１、係止具２、ばね板３、カバー４およびプルタブ５を含むジッパースライダ構造を提供し、該スライダ１の内部にガイド溝１１が形成され、歯の噛合のために使われる。該スライダ１の頂部には、係止具２に配合可能な収容部１２を備える。該収容部１２の両側に突出状のストッパ１３が設けられ、該収容部１２の両端にはスールホール１４及び平台１５がそれぞれ設けられ、該スールホール１４は該ガイド溝１１までに貫通する。該スライダ１の頂部の一端に固定座１６が設けられる。
【００１０】
該係止具２の一端はフック部２１を形成し、該係止具２の他端は支点２２を形成し、該係止具２の上面は当接面２３を形成し、該当接面２３がばね板３に当接されることができる。該係止具２は、該スライダ１の収容部１２内に収容され、これらのストッパ１３は、係止具２の左右への移動を防ぐため、該係止具２の両側を止めている。該係止具２のフック部２１が、該スールホール１４内に嵌め込み、該係止具２の支点２２が該平台１５に支えられる。該プルタブ５の一端に端部５１を有し該端部５１が係止具２の中央下方に位置される。
【００１１】
該ばね板３は、弾性のよい金属材質で作製しシート状に形成され、該ばね板３の一端が該スライダ１の固定座１６に固定され、該ばね板３の他端が自由端に形成し、かつ、該係止具２のフック部２１を該スライダ１のスールホール１４に貫通させ該ガイド溝部１１の内部に伸び込むように該係止具２の当接面２３に押し付けられ、ジッパーの歯に係止され、また、該プルタブ５を引張って該係止具２のフック部２１をジッパーの歯から分離させることもできる。
【００１２】
該カバー４は、底部が開口状になる中空蓋であり、該カバー４の両側に切欠き４１がそれぞれ形成され（図４および図５を参照する）、プルタブ５の端部が該２つの切欠き４１内に挿通する。該カバー４内部の両側に凸部４２がそれぞれ突設され、該凸部４２の下端に限定面４２１をそれぞれ有する。該カバー４が該プルタブ５の頂部を覆うとともに、該係止具２およびばね板３の上方に覆われ、該カバー４の両側が４箇所でかしめしてプルタブ５の上に固定され、スライダ１、係止具２およびばね板３などをジッパースライダ構造に結合し形成させ、該カバー４の２つの凸部４２の限定面４２１は、係止具２の支点２２の上方に位置され、２つの凸部４２の限定面４２１で係止具２の支点２２に位置制限効果を与える。このようにして、本考案のジッパースライダ構造を形成する。
【００１３】
本考案の係止具２は、ばね板３が提供した弾力で固定させる外、係止具２の支点２２の上方に２つの凸部４２が設けられ、ストップの機能を与えるので、プルタブ５の引張り力が大き過ぎても、係止具２の支点２２が大きく変位せず、係止具２が変形されまたは予定の位置からずれる恐れは無い。
【００１４】
また、２つの凸部４２が該カバー４内部の両側に一体成形されるので、構造強度が良く、かつ取り付け易く、コストを有効に低下できる。
【００１５】
しかし、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００１６】
【図１】図１は、本考案のジッパースライダ構造の斜視分解図である。
【図２】図２は、本考案のジッパースライダ構造の斜視図である。
【図３】図３は、本考案のジッパースライダ構造のカバーを外した構造を示す斜視図である。
【図４】図４は、本考案のジッパースライダ構造の断面図である。
【図５】図５は、本考案のカバーを示す斜視図である。
【符号の説明】
【００１７】
１スライダ
２係止具
３ばね板
４カバー
５プルタブ
１１ガイド溝
１２収容部
１３ストッパ
１４スールホール
１５平台
１６固定座
２１フック部
２２支点
２３当接面
４１切欠き
４２凸部
４２１限定面
５１端部
【図１】
0003143517.tif 000003
【図２】
0003143517.tif 000004
【図３】
0003143517.tif 000005
【図４】
0003143517.tif 000006
【図５】
0003143517.tif 000007